(57)【要約】【課題】吸水性の清掃体の搾りを容易、且つ、十分に行えるようにすると共に、清掃体の交換を容易にした清掃用具を得る。【解決手段】中空の把持棒１３の下端部に略逆Ｔ字形の中空結合体１４を固設すると共に、該把持棒１３内及び該中空結合体１４内に摺動棒１５を摺動自在に設け、且つ、該摺動棒１５に該摺動棒１５を摺動させる操作部１６を設け、更に、該摺動棒１５の下端に分岐部１７を介し該分岐部１７の左右下端部１７ａ，１７ｂを支点として左右揺動板１８，１９を揺動自在に設けると共に、下端部（押圧部２２ａ，２３ａ）が外方に折曲されて断面略Ｌ字状に形成された左右可動体２２，２３の上端部を前記中空結合体１４の左右両下端部に夫々揺動自在に設け、且つ、前記左右揺動板１８，１９に開穿した長孔を介して該左右可動体２２，２３を揺動自在に連結し、更に、前記左右揺動板１８，１９に清掃体ユニット２８を取り付けた清掃用具１１を提供する。【選択図】　図１
0003097334.tif 000002
【実用新案登録請求の範囲】
【請求項１】
中空の把持棒の下端部に略逆Ｔ字形の中空結合体を固設すると共に、該把持棒内及び該中空結合体内に摺動棒を摺動自在に設け、且つ、該摺動棒に該摺動棒を摺動させる操作部を設け、更に、該摺動棒の下端に分岐部を介し該分岐部の左右下端部を支点として左右揺動板を揺動自在に設けると共に、下端部が外方に折曲されて断面略Ｌ字状に形成された左右可動体の上端部を前記中空結合体の左右両下端部に夫々揺動自在に設け、且つ、前記左右揺動板に開穿した長孔を介して該左右可動体を揺動自在に連結し、更に、前記左右揺動板に清掃体ユニットを取り付けたことを特徴とする清掃用具。
【請求項２】
上記左右揺動板は上端にリブが形成されると共に、該リブの該左右揺動板外端近傍に長孔が斜設され、該長孔に上記左右可動体の折曲部がピンを介して連結されるように構成されていることを特徴とする請求項１記載の清掃用具。
【請求項３】
上記左右揺動板には複数の係合孔が開穿されていることを特徴とする請求項２又は３記載の清掃用具。
【請求項４】
上記清掃体ユニットは圧縮自在の吸水性の清掃体と、該清掃体の上面に固着される可撓性板状体とから成り、該可撓性板状体の上面には上記左右揺動板に開穿された係合孔に係合自在の複数の鉤状体が突設されていることを特徴とする請求項３記載の清掃用具。
【考案の詳細な説明】
【０００１】
【考案の属する技術分野】
本考案は、掃除用具に関するものであり、特に、吸水性の清掃体を用いた掃除用具であって、該清掃体の水分の搾り出しを良好に行える掃除用具に関するものである。
【０００２】
【従来の技術および考案が解決しようとする課題】
従来の此種掃除用具を図８に従って説明する。図に於て、１は掃除用具であり、該掃除用具１は把持棒２の下端部に断面逆Ｕ字状の結合体３が所定角度を有して固設されると共に、複数のローラ４，４…が回転自在に取り付けられた軸体５，５が該中空結合体３の両下端部に形成された垂設部３ａ，３ａ，３ａ，３ａに水平前後方向に平行に固設され、且つ、前記把持棒２の所定位置に操作部６が揺動自在に枢支されている。
【０００３】
一方、スポンジ等の圧縮自在の吸水性の清掃体７が断面凸状の棒状体に形成され、該清掃体７の上端には該上端を挟持して保持する金属性の断面逆Ｕ字状の保持体８が固設されている。そして、該保持体８の長手方向に直交する幅寸法は所定寸法内に制限され、該保持体８を前後の前記ローラ４，４…間内、及び、前記中空結合体３の両下端部間内に引き上げられるように構成されている。
【０００４】
更に、垂直部９ａ，９ａと水平部９ｂ，９ｂとから形成される断面Ｌ字状の２つのブラケット９，９の水平部９ｂ，９ｂが該保持体８上端部にネジ１０，１０…等で螺着され、前記垂直部９ａ，９ａが前記保持体８の長手方向中心部近傍に立設するように取り付けられている。そして、前記垂直部９ａ，９ａの上端部は前記操作部６の所定位置に枢支されている。
【０００５】
而して、前記清掃体７に水分を吸収させた後、前記操作部６を上方に引き上げると、該操作部６に枢支された前記ブラケット９の垂直部９ａ，９ａが上方に引き上げられ、前記保持体８を介して前記清掃体７が前後に離間する前記ローラ４，４…間を上方に引き上げられ、これによって、該清掃体７は該ローラ４，４…に圧接され、該清掃体７内の水分が搾り出される。
【０００６】
そして、前記把持棒２を把持して該清掃体７で拭き掃除が行える。又、該清掃体７が汚れた時は、該清掃体７を洗った後、再度、前述と同様の操作によって該清掃体７の水分を搾り出せば良い。
【０００７】
斯くして、前記清掃用具１は前記操作部６を操作するだけで、清掃体７の水分の搾り出しが容易に行える。
【０００８】
然しながら、該清掃用具１は前記清掃体７の水分を搾り出す時、該清掃体７と前記ローラ４，４…とが略線接触で圧接するため接触面積が小さく、該清掃体７の水分を十分に搾り出すことが困難である。
【０００９】
又、前記清掃体７を交換しようとした時、前記ネジ１０，１０…を外すための工具が必要となり、利便性が悪い。
【００１０】
更に、前記ネジ１０，１０…は長期の使用によって錆が発生する虞があり、錆が発生した時、ネジ１０，１０…の取り外しが困難となり、それによって該清掃体７の交換が困難となる。
【００１１】
又、ぞうきんがけ、水拭きが行える此種の別の清掃用具として、例えば、作動軸の先端に板状の台座を揺動自在に取り付け、該台座にぞうきん又はタオル等の拭き取り材を巻き付け、該拭き取り材の端部を該台座に形成された凹部に押し込んで該拭き取り材を台座に保持させるように構成した清掃用具が公開されている（例えば特許文献１）。
【００１２】
然しながら、該清掃用具は拭き取り材の搾り機能を備えていないため、拭き取り材を外して搾る必要があり、該操作は煩雑である。又、該拭き取り材を取り付けたまま他物体に圧接して搾る方法も考えられるが、その場合は十分な搾りが期待できない。
【００１３】
又、前記拭き取り材は台座に形成された凹部に押し込んで保持させているため、外れやすいという欠点がある。
【００１４】
そこで、吸水性の清掃体の搾りを容易、且つ、十分に行えるようにすると共に、清掃体の交換を容易にした清掃用具を得るために解決すべき技術的課題が生じてくるのであり、本考案はこの課題を解決することを目的とする。
【００１５】
【特許文献１】
特開２０００−２１７７６１号公報　（第１−２頁、第１−３図）
【００１６】
【課題を解決するための手段】
本考案は上記目的を達成するために提案されたものであり、請求項１記載の考案は、中空の把持棒の下端部に略逆Ｔ字形の中空結合体を固設すると共に、該把持棒内及び該中空結合体内に摺動棒を摺動自在に設け、且つ、該摺動棒に該摺動棒を摺動させる操作部を設け、更に、該摺動棒の下端に分岐部を介し該分岐部の左右下端部を支点として左右揺動板を揺動自在に設けると共に、下端部が外方に折曲されて断面略Ｌ字状に形成された左右可動体の上端部を前記中空結合体の左右両下端部に夫々揺動自在に設け、且つ、前記左右揺動板に開穿した長孔を介して該左右可動体を揺動自在に連結し、更に、前記左右揺動板に清掃体ユニットを取り付けたことを特徴とする清掃用具である。
【００１７】
上記請求項１記載の考案によれば、前記操作部を操作し前記摺動棒を摺動させると、前記左右揺動板が前記中空結合体内に引き込まれ、該左右揺動板は互いに閉じる方向に揺動し、該左右揺動板が所定角度以内に閉じると前記左右可動体が内方に揺動し、該左右揺動板と、該左右可動体の折曲された下端部とによって前記清掃体を圧縮し、該清掃体内の水分を搾り出すことができる。
【００１８】
請求項２記載の考案は、上記左右揺動板は上端にリブが形成されると共に、該リブの該左右揺動板外端近傍に長孔が斜設され、該長孔に上記左右可動体の折曲部がピンを介して連結されるように構成されていることを特徴とする清掃用具である。
【００１９】
上記請求項２記載の考案によれば、前記左右揺動板が所定角度揺動すると前記左右可動板の折曲部が前記長孔によって引張され、該左右可動板が揺動する。
【００２０】
請求項３記載の考案は、上記左右揺動板には複数の係合孔が開穿されていることを特徴とする清掃用具である。
【００２１】
上記請求項３記載の考案によれば、該係合孔によって該左右揺動板と上記清掃体ユニットとを係合させることができる。
【００２２】
請求項４記載の考案は、上記清掃体ユニットは圧縮自在の吸水性の清掃体と、該清掃体の上面に固着される可撓性板状体とから成り、該可撓性板状体の上面には上記左右揺動板に開穿された係合孔に係合自在の複数の鉤状体が突設されていることを特徴とする清掃用具である。
【００２３】
上記請求項４記載の考案によれば、該鉤状体が該係合孔に係合して、前記清掃体ユニットを前記左右揺動板に容易に取り付けることができる。
【００２４】
【考案の実施の形態】
以下、本考案の一実施の形態を図１乃至図７に従って詳述する。図１及び図２に於て、１１は掃除用具であり、該掃除用具１１は調節部１２によって伸縮自在の中空の把持棒１３の下端部に逆Ｔ字型の中空の中空結合体１４が固設されると共に、該把持棒１３内及び該中空結合体１４内に摺動棒１５が摺動自在に設けられ、且つ、該摺動棒１５に該摺動棒１５を摺動させる操作部１６が設けられている。
【００２５】
更に、該摺動棒１５の下端に左右下方に向かって二股状に分岐する分岐部１７が固設され、該分岐部１７の左右下端部１７ａ，１７ｂに該左右下端部１７ａ，１７ｂを支点として揺動する左右揺動板１８，１９が夫々設けられ、該左右揺動板１８，１９の上面にはリブ２０，２１が夫々立設されている。
【００２６】
そして、前記中空結合体１４の左右両下端部に該左右両下端部を支点として夫々揺動する左右可動体２２，２３が設けられ、且つ、該左右可動体２２，２３は断面略Ｌ字状に下端部が夫々外方に折曲されて押圧部２２ａ，２３ａが形成されており、そして、前記揺動板１８，１９の前記リブ２０，２１には該揺動板１８，１９先端近傍に先端下方に向かって斜設された長孔２４，２５が開穿されており、前記左右可動体２２，２３の折曲部２２ｂ，２３ｂがピン２６，２７によって前記長孔２４，２５に連結され、且つ、前記左右揺動板１８，１９下面に清掃ユニット２８が係合自在に取り付けられ、該清掃ユニット２８は、例えば、スポンジ、綿糸状体等の圧縮自在の吸水性の清掃体２９の上面に可撓性板状体３０が接着剤等によって固着されて成る。
【００２７】
更に、前記把持棒１３の所定位置には長手方向に延びる長孔３１が開穿されると共に、前記操作部１６は該把持棒１３の該長孔３１上端近傍に揺動自在に枢支され、且つ、該操作部１６の中央部所定位置に図３に示す連結桿３２が枢支され、該連結桿３２は前記長孔３１を貫通して前記摺動棒１５の上端部に枢支されており、前記操作部１６を上方に操作すると、該連結桿３２を介して該摺動棒１５が上方に摺動されるように構成されている。
【００２８】
又、図４に示す如く、前記清掃体２９に固着される前記可撓性板状体３０の上面には前後２列の左右方向に複数の鉤状体３３，３３…が突設され、且つ、該鉤状体３３，３３…の鉤部は前後方向外方に向かって形成されており、一方、図２に示す如く前記左右揺動板１８，１９には該鉤状体３３，３３…に対応して前後２列の左右方向に複数の係合孔３４，３４…が開穿されている。
【００２９】
そして、該鉤状体３３，３３…は変形可能であり、且つ、前記清掃体２９、及び、前記可撓性板状体３０も変形自在であるので、之等を変形させることにより該鉤状体３３，３３…を該係合孔３４，３４…に容易に係止させ、且つ、係止を取外すことが可能であり、従って、前記可撓性板状体３０と、前記左右揺動板１８，１９は容易に係止、及び、取り外しが可能である。
【００３０】
而して、図１に示す如く、前記掃除用具１１は、前記操作部１６が操作されない状態に於て、前記左右揺動板１８，１９、及び、前記押圧部２２ａ，２３ａは前記清掃体２９と略平行状態にあり、この状態で、該清掃体２９に水分を十分吸収させた後、図５及び図６に示す如く、前記操作部１６を上方に操作し前記摺動棒１５を上方に摺動させると、前記左右揺動板１８，１９が前記中空結合体１４内に引き込まれ、該左右揺動板１８，１９は該中空結合体１４の両下端部に規制されて相互に閉じる方向に揺動し、これによって、前記可撓性板状体３０、及び、前記清掃体２９は長手方向略中央部で逆Ｖ字形に二つ折りされ、更に、前記左右揺動板１８，１９が所定角度以内に閉じると前記ピン２６，２７によって前記長孔２４，２５に連結された前記屈曲部２２ｂ，２３ｂが内方に引き寄せられ、図７に示す如く前記左右可動体２２，２３が内方に揺動し、該左右可動体２２，２３の押圧部２２ａ，２３ａが略垂直方向になり、前記左右揺動板１８，１９と、該押圧部２２ａ，２３ａとによって前記清掃体２９を圧縮し、該清掃体２９内の水分を搾り出すことができる。
【００３１】
次に、前記操作部１６を下げると前記左右揺動板１８，１９が前記中空結合体１４内から下方に押し出されて該左右揺動板１８，１９は互いに開く方向に揺動し、該左右揺動板１８，１９が所定寸法下方に下げられると前記左右可動体２２，２３が外方に揺動し、該左右揺動板１８，１９と、該左右可動体２２，２３の押圧部２２ａ，２３ａが略水平状態に復元し、前記可撓性板状体３０、及び、前記清掃体２９も略水平状態に復元する。そして、この状態で拭き掃除を行うことができる。
【００３２】
又、拭き掃除等によって前記清掃体２９が汚れた時は、該清掃体２９を洗った後、前述と同様に、前記操作部１６を操作して、該清掃体２９の水分を搾り出せば、再度、該清掃体２９を拭き掃除に使用することができる。
【００３３】
更に、前記清掃体ユニット２８を交換する時は、前記鉤状体３３，３３…、前記清掃体２９、又は、前記可撓性板状体３０を変形させることにより、該鉤状体３３，３３…と前記左右揺動板１８，１９に開穿された係合孔３４，３４…との係合を外して、前記可撓性板状体３０と共に、前記清掃体２９を取り外し、新しい清掃体２９に固着された可撓性板状体３０の鉤状体３３，３３…を前述したように前記左右揺動板１８，１９に開穿された係合孔３４，３４…に係合させれば良い。
【００３４】
斯くして、前記掃除用具１１は吸水性の清掃体２９を前記左右揺動板１８，１９、及び、前記左右可動体２２，２３の押圧部２２ａ，２３ａによって広い面積で圧縮するので、該清掃体２９の搾りを十分に行うことができると共に、前記左右可動体２２，２３が内方に揺動することにより、該左右可動体２２，２３の押圧部２０ａ，２１ａによって強い力で前記清掃体２９を圧接し、該清掃体２９を更に十分に搾ることができる。
【００３５】
又、前記操作部１６を上方に操作すると、前記連結桿３２を介して前記摺動棒１５が上方に摺動され、該摺動棒１５の摺動に伴い、清掃体２９も引き上げられて搾られるので、清掃体２９の搾り操作が容易である。
【００３６】
更に、前記鉤状体３３と前記係合孔３４とが係合自在に構成され、係合と取り外しも工具無しで容易に行えるので、前記清掃体２９の交換が容易である。
【００３７】
更に又、前記掃除用具１１は構造が簡単で、動作も確実に行える。
【００３８】
尚、本考案は、本考案の精神を逸脱しない限り種々の改変を為すことができ、そして、本考案が該改変されたものに及ぶことは当然である。
【００３９】
【考案の効果】
本考案は上記一実施の形態に詳述したように、請求項１記載の考案は、清掃用具であって、該清掃用具は中空の把持棒の下端部に略逆Ｔ字形の中空結合体を固設すると共に、該把持棒内及び該中空結合体内に摺動棒を摺動自在に設け、且つ、該摺動棒に該摺動棒を摺動させる操作部を設け、更に、該摺動棒の下端に分岐部を介し該分岐部の左右下端部を支点として左右揺動板を揺動自在に設けると共に、下端部が外方に折曲されて断面略Ｌ字状に形成された左右可動体の上端部を前記中空結合体の左右両下端部に夫々揺動自在に設け、且つ、前記左右揺動板に開穿した長孔を介して該左右可動体を揺動自在に連結し、更に、前記左右揺動板に清掃体ユニットを取り付けているので、前記操作部を操作し前記摺動棒を摺動させると、前記左右揺動板が前記中空結合体内に引き込まれ、該左右揺動板は互いに閉じる方向に揺動し、該左右揺動板が所定角度以内に閉じると前記左右可動体が内方に揺動し、該左右揺動板と、該左右可動体の折曲された下端部とによって前記清掃体を圧縮し、該清掃体内の水分を搾り出すことが可能となる。従って、前記掃除用具は吸水性の清掃体を前記左右揺動板、及び、左右可動体の下端部の広い面積で圧縮するので、該清掃体の搾りを容易、且つ、十分に行うことができると共に、前記左右可動体の下端部によって前記清掃体を強い力で圧接し、該清掃体を更に十分に搾ることができる。
【００４０】
又、請求項２記載の考案は、上記左右揺動板は上端にリブが形成されると共に、該リブの該左右揺動板外端近傍に長孔が斜設され、該長孔に上記左右可動体の折曲部がピンを介して連結されるように構成されているので、前記左右揺動板が所定角度揺動すると前記左右可動板の折曲部が前記長孔によって引張されて該左右可動板が揺動し、請求項１記載の考案の効果と同様の効果が期待できる。
【００４１】
更に、請求項３記載の考案は、上記左右揺動板には複数の係合孔が開穿されているので、請求項１又は２記載の考案の効果に加え、前記係合孔によって、該左右揺動板と上記清掃体ユニットとを係合させることができる。
【００４２】
更に又、請求項４記載の考案は、上記清掃体ユニットは圧縮自在の吸水性の清掃体と、該清掃体の上面に固着される可撓性板状体とから成り、該可撓性板状体の上面には上記左右揺動板に開穿された係合孔に係合自在の複数の鉤状体が突設されているので、請求項３記載の清掃用具の効果に加え、前記鉤状体が前記係合孔に係合することにより、前記清掃体ユニットを工具無しで前記左右揺動板に容易に取り付けることができると共に、係合状態から容易に取外すことができる等、正に著大なる効果を奏する考案である。
【図面の簡単な説明】
【図１】本考案の一実施の形態を示し、清掃用具の斜視図。
【図２】本考案の一実施の形態を示し、掃除用具の要部分解斜視図。
【図３】本考案の一実施の形態を示し、掃除用具の操作部の動作説明図。
【図４】本考案の一実施の形態を示し、清掃体と可撓性板状体の分解斜視図。
【図５】本考案の一実施の形態を示し、清掃体を搾る状態を示す斜視図。
【図６】本考案の一実施の形態を示し、清掃体を外した状態で、操作部を操作し、左右揺動板の揺動開始状態を示す清掃用具の斜視図。
【図７】本考案の一実施の形態を示し、清掃体を外した状態で、操作部を操作し、左右揺動板の揺動終了状態を示す清掃用具の斜視図。
【図８】従来例を示し、掃除用具の一部切欠斜視図。
【符号の説明】
１１　　　　　　　　　　　　掃除用具
１３　　　　　　　　　　　　把持棒
１４　　　　　　　　　　　　中空結合体
１５　　　　　　　　　　　　摺動棒
１６　　　　　　　　　　　　操作部
１８　　　　　　　　　　　　左揺動板
１９　　　　　　　　　　　　右揺動板
２０　　　　　　　　　　　　左可動体
２１　　　　　　　　　　　　右可動体
２０，２１　　　　　　　　　リブ
２４，２５，３１　　　　　　長孔
３０　　　　　　　　　　　　可撓性板状体
２９　　　　　　　　　　　　清掃体
３２　　　　　　　　　　　　連結桿
３３　　　　　　　　　　　　鉤状体
３４　　　　　　　　　　　　係合孔
【図１】
0003097334.tif 000003
【図２】
0003097334.tif 000004
【図３】
0003097334.tif 000005
【図４】
0003097334.tif 000006
【図５】
0003097334.tif 000007
【図６】
0003097334.tif 000008
【図７】
0003097334.tif 000009
【図８】
0003097334.tif 000010
【手続補正書】
【提出日】平成15年6月19日(2003.6.19)
【手続補正１】
【補正対象書類名】明細書
【補正対象項目名】請求項３
【補正方法】変更
【補正の内容】
【請求項３】
上記左右揺動板には複数の係合孔が開穿されていることを特徴とする請求項１又は２記載の清掃用具。